(57)【要約】【課題】支持棒から脱落するのを防止できるとともに、照明装置の調整の際の操作性が良好なハンガーを提供する。  【解決手段】所定の照明領域に架け渡した支持棒Ｂの外面に内面が接触可能な略Ｃ字状を有し照明器具を回動可能な状態に取付けたアーム部１１と、アーム部１１に螺合され先端部が支持棒Ｂの外面に接触して支持棒Ｂをアーム部１１との間で挟持する固定ボルト１２とを備え、支持棒Ｂに固定するアーム部１１により照明器具を吊下するハンガー１であって、略柱状の保持部３１と、保持部３１の外面から固定ボルト１２をアーム部１１に対して軸回転させるための突出部３２Ａ，３２Ｂとを有する操作手段３を備え、突出部３２Ａ，３２Ｂが外方に突出しない状態を選択可能である。【選択図】図４
2007224951.tif 000002
【特許請求の範囲】
【請求項１】
所定の領域に架け渡した支持棒の外面に内面が接触可能な略Ｃ字状を有し、照明器具を回動可能な状態に取付けたアーム部と、前記アーム部に螺合され先端部が前記支持棒の外面に接触して前記支持棒を前記アーム部との間で挟持する固定ボルトと、を備えるハンガーであって、
前記固定ボルトの基端部に設ける略筒状または柱状の保持部と、前記固定ボルトを前記アーム部に対して軸回転させるために設けた、前記保持部の外面から突出する突出部と、を有する操作手段を備え、
前記突出部が前記固定ボルトの外方に突出しない状態を選択可能であるハンガー。
【請求項２】
前記操作手段は、前記固定ボルトに対して着脱可能である請求項１に記載のハンガー。
【請求項３】
前記操作手段は、前記固定ボルトと一体で回転可能に、前記固定ボルトの基端部に組み付けられているとともに、
前記突出部は、前記保持部の径方向に沿って収容可能である請求項１に記載のハンガー。
【発明の詳細な説明】
【技術分野】
【０００１】
本発明は、照明装置を固定するハンガーに係り、特に架け渡した支持棒の長手方向に沿って所望の位置で照明装置を固定できるハンガーに関する。
【背景技術】
【０００２】
従来、演劇や公演を行う舞台やスタジオ等では、上方から照明するために、例えば図９に示すように、舞台の上方に横設された支持棒１００にハンガー１０１および吊下部材１０２を介して吊り下げることができる照明器具１０３が知られている。
図１０に示すように、ハンガー１０１は、内面が支持棒１００の外周面に接触可能な略Ｃ字状のアーム部１０４と、このアーム部１０４に螺合されて支持棒の１００外周面に接触可能な固定ボルト１０５とを備えるとともに、固定ボルト１０５の基端部に、径方向に沿って固定ボルト１０５の外側へ突出する突出部１０６を設けた保持部１０７とを有する操作手段を備えている（例えば特許文献１参照）。
【０００３】
照明器具１０３を操作する作業者は、例えば突出部１０６に指を引っ掛けたり、突出部１０６を手で把持する等して固定ボルト１０５を軸回転させることにより、固定ボルト１０５の先端を支持棒１００の外周面に接触させる。これにより、アーム部１０４と固定ボルト１０５との間で、支持棒１００を挟持させることにより、ハンガー１０１を支持棒１００に自己保持させる。
従って、ハンガー１０１に取り付けてある照明器具１０３を支持棒１００に吊り下げて保持できる。なお、ハンガー１０１の落下防止のために、アーム部１０４が支持棒１００にワイヤーでつながれている。
【特許文献１】特開２０００−１６１３１３１号公報
【発明の開示】
【発明が解決しようとする課題】
【０００４】
ところで、このような照明装置にあっては、支持棒１００に固定されたハンガー１０１に吊り下げられた後、舞台内容や公演内容に従って、あるいは演出効果等を目的として、作業者がシューティング棒１０８（図９参照）と呼ばれる長い棒状用具の先端を照明装置１０３に接触させ、照明方向を微調整させることがある。
【０００５】
ところが、このようなシューティング作業時、誤ってシューティング棒１０８の先端が保持部１０７に設けた突出部１０６に接触すると、固定ボルト１０５が回転する可能性がある。しかも、この突出部１０６は、回転操作の際の回転力の軽減を考慮し、保持部１０７の外周から固定ボルト１０５の外方に大きく張り出させるような構成のものが多いので、突出部１０６に接触し易い。
【０００６】
そこで、図１１に示すように、ハンガー１０１に対して、固定ボルト１０５よりも若干大きめに形成した大径の部分からなる保持部１０９を設けることにより、突出部の代替手段とすることも考えられる。
しかしながら、このような構成とすると、回転操作の際に大きな回転力を必要とするので、作業性の低下を招く。
【０００７】
本発明は、上記事情に鑑みてなされたもので、照明装置の照明方向を調整する作業を良好に行えるハンガーを提供することを目的とする。
【課題を解決するための手段】
【０００８】
本発明のハンガーは、所定の領域に架け渡した支持棒の外面に内面が接触可能な略Ｃ字状を有し照明器具を回動可能な状態に取付けたアーム部と、前記アーム部に螺合され先端部が前記支持棒の外面に接触して前記支持棒を前記アーム部との間で挟持する固定ボルトと、を備えるハンガーであって、前記固定ボルトの基端部に設ける略筒状または柱状の保持部と、前記固定ボルトを前記アーム部に対して軸回転させるために設けた、前記保持部の外面から突出する突出部と、を有する操作手段を備え、前記突出部が前記固定ボルトの外方に突出しない状態を選択可能である。
【０００９】
また、前記保持部は、前記固定ボルトに対して着脱可能であるものである。
【００１０】
また、前記操作手段は、前記固定ボルトと一体で回転可能に、前記固定ボルトの基端部に組み付けられているとともに、前記突出部は、前記保持部の径方向に沿って収容可能である。
【発明の効果】
【００１１】
本発明によれば、照明装置の照明方向を調整する作業を良好に行えるハンガーを提供できる。
【発明を実施するための最良の形態】
【００１２】
以下、本発明の実施形態について、添付図面を参照しながら詳細に説明する。
(第１実施形態)
図１は、本発明の第１実施形態に係るハンガー１を示すものであり、このハンガー１は、所定の照明領域に亙ってスポットライト等の局所的な照明を行う照明器具Ｌ（図２参照）を吊下した状態で支持棒Ｂに取付けられており、アーム部１１と、固定ボルト１２と、所要の長さのワイヤー１４でアーム部１１(または固定ボルト１２でもよい)につながれた操作部材（操作手段を構成する）２等を備えている。
【００１３】
アーム部１１は、吊下部材１３を介して照明器具Ｌを吊下げて取付けており、吊下部材１３の下端部に設けた回動軸１３Ａを中心として回動可能な状態に構成されている。
アーム部１１は、内面が所望の照明領域に亙って架け渡した支持棒Ｂの外周面に接触可能な略Ｃ字状を有しており、雌ねじが切られたねじ部１１１を設けている。第1実施形態において、支持棒は、略水平方向に架け渡してあるが、縦方向等の任意の方向に設置可能である。
【００１４】
固定ボルト１２は、先端側の外周面にアーム部１１のねじ部１１１の雌ねじに螺合する雄ねじが切られた雄ねじ部１２１を有しており、ねじ部１１１に螺合させることによりアーム部１１に対して進退自在となっている。
従って、この固定ボルト１２は、先端部が支持棒Ｂの外周面に接触して支持棒Ｂをアーム部１１との間で挟持することにより、アーム部１１を支持棒Ｂにしっかりと固定させることができる。さらに、この固定ボルト１２は、図３に示すように、基端部側にセレーション溝１２Ａが多数刻設されているとともに、このセレーション溝１２Ａが形成された部分は、基端部に向けて窄まったテーパ形状を呈している。
【００１５】
操作部材２は、固定ボルト１２をアーム部１１に対して軸回転させて進退させるときの操作に用いるものであり、本実施形態では、固定ボルト１２の基端部に着脱自在に嵌挿させるようになっている。この操作部材２は、図３に示すように、略円筒状の保持部２１と、保持部２１の外周面から半径方向の外方に向けて突出した突出部２２とを備える。
【００１６】
保持部２１は、固定ボルト１２に対向する一端面が開口された係合穴を設けているとともに、その内周面には固定ボルト１２のセレーション溝１２Ａに係合するため同様のセレーション溝２１Ａが刻設されている。
なお、この保持部２１および固定ボルト１２には、本実施形態のようなセレーション溝を設ける替わりに、例えばスプライン係合させるための突起と溝を設けたり、断面を略Ｄ字状や六角形状に形成する等、適宜の廻り止め手段を設けてあってもよい。
【００１７】
突出部２２は、固定ボルト１２をアーム部１１に対して軸回転させる操作ときに指を掛けたり手で把持するときに滑らないようするためのものであり、第1実施形態では一対のはね状に形成されたもので構成している。
【００１８】
従って、第1実施形態によれば、例えば支持棒Ｂにアーム部１１を固定させるときには、操作部材２を固定ボルト１２に押し込ませながら係合させて装着し、操作部材２の突出部２２に指を掛けたり手で把持して回転操作する。これにより、固定ボルト１２がアーム部１１に対して前進移動し、先端部分が支持棒Ｂに当接するので、固定ボルト１２の先端とアーム部１１との間で支持棒Ｂを挟持させることにより、アーム部１１、延いてはこのアーム部１１に吊り下げてある照明器具Ｌを支持棒Ｂにしっかりと固定させることができる。次に、操作部材２を固定ボルト１２から引き抜いて取り外しておく。
【００１９】
その後、支持棒Ｂを舞台の床面側等から上方に移動させて舞台の上方に横設させれば、舞台を照明器具Ｌでスポット照明できる。
また、支持棒Ｂを降ろさずに高所に設置した状態のまま必要に応じてスポット位置を変更するような、シューティング作業を行う場合には、柄の長い棹状のシューティング棒Ｕ(図２参照)で照明器具Ｌの一部を押し出す等して照明方向を変更させるが、このとき、操作部材２の突出部２２が固定ボルト１２に装着されていない。従って、誤ってシューティング棒Ｕが突出部２２に係止して固定ボルト２２が軸回転する虞れがない。
【００２０】
(第２実施形態)
次に、本発明の第２実施形態について、図４から図６を参照しながら説明する。なお、第２実施形態において、第１実施形態と同一部分には同一符号を付して重複説明を避ける。
図４に示すように、第２実施形態のハンガー１は、第１実施形態と異なり、固定ボルト１２の基端部に操作手段３が固着されており、この操作手段３は取外しができないようになっている。
【００２１】
操作手段３は、図５に示すように、略円柱状の保持部３１と、保持部３１の外周面から突出した突出部３２Ａ，３２Ｂとを備える。
保持部３１は、一端面および外周面が細幅スリット状に開口したスライド溝３１１を設けており、このスライド溝３１１に突出部３２Ａ，３２Ｂの各基端部側を回動可能に軸着させるための回動軸３１２Ａ，３１２Ｂ(但し、回動軸３１２Ｂは、図５では紙面の裏面側に端部が露出するので記載されていない。)が設けられている。
【００２２】
突出部３２Ａ，３２Ｂは、図５(Ａ)に示すように、支持棒Ｂにハンガー１を取付けたり支持棒Ｂからハンガー１を取外すために固定ボルト１２の回転操作を行う場合に保持部３１から張り出させ、それ以外の場合には(普段は)固定ボルト１２回転操作を行う必要がないので同図(Ｂ)に示すように、折り畳んでおくようになっている。
なお、第２実施形態では、突出部３２Ａ，３２Ｂが不用意に外方に広がって張り出すことを防止するため、突出部３２Ａ，３２Ｂと回動軸３１２Ａ，３１２Ｂとの間にはトーションばねを設けており、普段使用しないときには突出部３２Ａ，３２Ｂがこのばね力で折畳まれた状態を保持できるようになっている。
【００２３】
従って、第２実施形態によれば、例えば支持棒Ｂにアーム部１１を固定させるときには、操作手段３の普段折り畳まれている突出部３２Ａ，３２Ｂをばね力に抗して手で広げて張り出させた状態のまま、つまり手で突出部３２Ａ，３２Ｂを押し広げながら、突出部３２Ａ，３２Ｂを指や手で把持して回転操作する。これにより、固定ボルト１２を支持棒Ｂに向けて前進させて先端を支持棒Ｂに当接させ、アーム部１１との間で支持棒Ｂを挟持させることができるので、支持棒Ｂにアーム部１１が固定される。
次に、突出部３２Ａ，３２Ｂから手を離すと、トーションばねのばね力により突出部３２Ａ，３２Ｂが元の折り畳まれた状態までほぼ９０度回動して止まるので、折り畳まれた状態が保持される。
【００２４】
その後、支持棒Ｂを舞台等の上方に横設しておけば、このアーム部１１に取付けた照明器具Ｌが舞台等の上方に吊下げられる。
従って、図６に示すように、シューティングを行う場合、柄の長い棹状のシューティング棒Ｕで照明器具Ｌの向きを調整する際に、このシューティング棒Ｕが突出部３２Ａ，３２Ｂに接触する虞がない。
【００２５】
(第３実施形態)
次に、本発明の第３実施形態について、図７、図８を参照しながら説明する。なお、第３実施形態において、第１実施形態と同一部分には同一符号を付して重複説明を避ける。
図７に示すように、第３実施形態のハンガー１は、第１実施形態と異なり、固定ボルト１２の基端部に操作手段４が固着されており、この操作手段４は取外しができないようになっている。
【００２６】
操作手段４は、図７に示すように、固定ボルト１２と一体に取付けられた略円筒状の保持部４１と、この保持部４１の外周面に対して図示しない収容手段で収容可能な突出部４２とを備える。
【００２７】
保持部４１は、外周面の一部に開口したテーパ状の孔を設けており、この孔から突出部４２が突出する。また、保持部４１には、図示しない収容手段が設けられており、この収容手段を介して突出部４２が収容可能になっている。
【００２８】
突出部４２は、支持棒Ｂにハンガー１を取付けたり支持棒Ｂからハンガー１を取外す際に固定ボルト１２の回転操作を行うため、図７に実線で示すように保持部３１から張り出させ、それ以外の場合には固定ボルト１２の回転操作を行う必要がないので、図７に破線で示すように保持部４１内部に収納しておくように構成されている。この突出部４２は、重ねて収納可能な多段式の筒部で構成となっており、第３実施形態では、第１突出部４２Ａ〜第３突出部４２Ｃで構成されており、第１突出部４２Ａ〜第３突出部４２Ｃが収容手段により収容動作を行うことができるように構成されている。
【００２９】
収容手段は、図しないが、バネあるいはカム等の適宜の機構的なもので構成されている。
【００３０】
従って、第３実施形態によれば、固定ボルト１２の回転操作を行う場合には、収容手段を操作することにより、図７に実線で示すように第１突出部４２Ａ〜第３突出部４２Ｃが保持部４１の内部から解放されて図示外の孔から飛び出し、張り出す。このため、例えば支持棒Ｂにアーム部１１を固定させるときには、保持部４１を固定ボルト１２の方向に押し込みながら張り出している第１突出部４２Ａ〜第３突出部４２Ｃに指や手を掛けて回転させれば、これと一体の固定ボルト１２が回転する。これにより、固定ボルト１２を支持棒Ｂに向けて前進させて先端を支持棒Ｂに当接させ、アーム部１１との間で支持棒Ｂを挟持させることができるので、支持棒Ｂにアーム部１１が固定される。
【００３１】
次に、収容手段を操作することにより、図７に破線で示すように、孔から突出していた第１突出部４２Ａ〜第３突出部４２Ｃが保持部４１の内部に押し込まれて収容される。
【００３２】
その後、支持棒Ｂを舞台等の上方に取付ければ、このアーム部１１に取付けた照明器具Ｌが舞台等の上方に吊下げられる。従って、図８に示すように、シューティングを行う場合、柄の長い棹状のシューティング棒Ｕで照明器具Ｌの向きを調整する際には、このシューティング用具Ｕが第１突出部４２Ａ〜第３突出部４２Ｃに接触する虞がない。
【００３３】
なお、本発明は上述した各実施形態に何ら限定されるものではなく、その要旨を逸脱しない範囲において種々の形態で実施し得るものである。
【産業上の利用可能性】
【００３４】
本発明のハンガーは、照明装置の照明方向を変更させる作業の操作性が向上するといった効果を有し、舞台やスタジオ等で使用する照明装置用のハンガー等に有用である。
【図面の簡単な説明】
【００３５】
【図１】本発明の第１実施形態に係るハンガーを示す概略図
【図２】本発明の第１実施形態に係るハンガーで支持棒に固定させた照明器具の位置作業を示す説明図
【図３】本発明の第１実施形態に係るハンガーの固定ボルトと操作部材との係合関係を示す斜視図
【図４】本発明の第２実施形態に係るハンガーを示す概略図
【図５】本発明の第２実施形態に係る（Ａ）ハンガーの固定ボルトに固設した操作手段を示す斜視図  本発明の第２実施形態に係る（Ｂ）操作手段に設けた突出部を折畳んだ状態を示す斜視図
【図６】本発明の第１実施形態に係るハンガーで支持棒に固定させた照明器具の位置作業を示す説明図
【図７】本発明の第３実施形態に係るハンガーを示す概略図
【図８】本発明の第３実施形態に係るハンガーで支持棒に固定させた照明器具の位置作業を示す説明図
【図９】従来のハンガーを介して吊下げられた照明器具でのシューティング作業の様子を示す説明図
【図１０】（Ａ）従来のハンガーを示す概略図  （Ｂ）同側面図
【図１１】従来のハンガーの変形例を示す概略図
【符号の説明】
【００３６】
１  ハンガー
Ｌ  照明器具
１１  アーム部
１１１  ねじ部
１２  固定ボルト
１２Ａ  セレーション溝
１２Ｂ  ばね室
１２２  圧縮ばね
１２１  雄ねじ部
１２２  圧縮ばね
１３  吊下部材
１３Ａ  回動軸
１４  ワイヤー
２  操作部材（操作手段）
２１  保持部
２１Ａ  セレーション溝
２２  突出部
３，４  操作手段
３１  保持部
３２Ａ，３２Ｂ  突出部
３１１  スライド溝
３１２Ａ，３１２Ｂ  回動軸
４１  保持部
４２  突出部
４２Ａ〜４２Ｃ  第１突出部〜第３突出部
Ｂ  支持棒
Ｌ  照明器具
Ｕ  シューティング棒
【図１】
2007224951.tif 000003
【図２】
2007224951.tif 000004
【図３】
2007224951.tif 000005
【図４】
2007224951.tif 000006
【図５】
2007224951.tif 000007
【図６】
2007224951.tif 000008
【図７】
2007224951.tif 000009
【図８】
2007224951.tif 000010
【図９】
2007224951.tif 000011
【図１０】
2007224951.tif 000012
【図１１】
2007224951.tif 000013